(57)【要約】【課題】棚板の前後方向に整列するよう複数の物品を起立させて陳列させた場合に、物品の転落を効果的に防止しつつ取り出しを容易にすることが可能な仕切り部材及び仕切りユニットを提供する。【解決手段】陳列棚の棚板上に載置される複数の物品を棚板の幅方向に仕切るための仕切り部材１ａ〜１ｃであって、棚板上に載置可能に構成された長尺状の土台部１０ａ〜１０ｄと、土台部１０ａ〜１０ｄの長手方向に沿って延び、棚板の上面に対して垂直となるよう土台部１０ａ〜１０ｄに立設された仕切り板部２０ａ〜２０ｃと、仕切り板部２０ａ〜２０ｃの前端縁部と直交するよう、土台部１０ａ〜１０ｄの長手方向の前端縁部に立設された転落防止板部３０ａ〜３０ｃとを備え、転落防止板部３０ａ〜３０ｃは、土台部１０ａ〜１０ｄの上面から該転落防止板部３０ａ〜３０ｃの上端部までの高さが１５ｍｍ〜４０ｍｍとなるよう構成されている。【選択図】図１
2016096836.tif 000002
【特許請求の範囲】
【請求項１】
陳列棚の棚板上に載置される複数の物品を前記棚板の幅方向に仕切るための仕切り部材であって、
前記棚板上に載置可能に構成された長尺状の土台部と、
前記土台部の長手方向に沿って延び、前記棚板の上面に対して垂直となるよう前記土台部に立設された仕切り板部と、
前記仕切り板部の前端縁部と直交するよう、前記土台部の長手方向の前端縁部に立設された転落防止板部と
を備え、
前記転落防止板部は、前記土台部の上面から該転落防止板部の上端部までの高さが１５ｍｍ〜４０ｍｍとなるよう構成されている
ことを特徴とする仕切り部材。
【請求項２】
前記転落防止板部は、前記土台部の上面から該転落防止板部の上端部までの高さが１５ｍｍ〜２５ｍｍとなるよう構成されている
ことを特徴とする請求項１に記載の仕切り部材。
【請求項３】
前記土台部は、前記仕切り板部の下端縁部から幅方向の一方又は双方に向けて延出して設けられており、延出方向の先端縁部が、該土台部の長手方向に凹凸を繰り返す凹凸形状を有している
ことを特徴とする請求項１又は２に記載の仕切り部材。
【請求項４】
陳列棚の棚板上に載置される複数の物品を前記棚板の幅方向に仕切るための少なくとも一対の仕切り部材を備える仕切りユニットであって、
前記一対の仕切り部材は、それぞれ、前記棚板上に載置可能に構成された長尺状の土台部と、前記土台部の長手方向に沿って延び、前記棚板の上面に対して垂直となるよう前記土台部に立設された仕切り板部と、前記仕切り板部の前端縁部と直交するよう、前記土台部の長手方向の前端縁部に立設された転落防止板部とを備え、前記転落防止板部が、前記土台部の上面から該転落防止板部の上端部までの高さが１５ｍｍ〜４０ｍｍとなるよう構成されている
ことを特徴とする仕切りユニット。
【請求項５】
前記一対の仕切り部材の前記土台部は、それぞれ、前記仕切り板部の下端縁部から幅方向の一方又は双方に向けて延出して設けられており、延出方向の先端縁部が、該土台部の長手方向に凹凸を繰り返す凹凸形状を有しており、
一方の前記仕切り部材の前記土台部の前記凹凸形状と、他方の前記仕切り部材の前記土台部の凹凸形状とは、互いに噛み合うよう凹凸順序が逆に構成されている
ことを特徴とする請求項４に記載の仕切りユニット。
【発明の詳細な説明】
【技術分野】
【０００１】
本発明は、例えばコンビニエンスストアやスーパーマーケット等の販売店に設置された陳列棚に用いられ、棚板上に陳列された複数の物品を仕切るための仕切り部材及び仕切りユニットに関するものである。
【背景技術】
【０００２】
従来、コンビニエンスストアやスーパーマーケット等の販売店に設置された陳列棚に用いられ、棚板上に陳列された物品を仕切るための仕切り部材として、図７に示す陳列棚用商品仕切板が知られている（特許文献１参照）。この従来の陳列棚用商品仕切板１００は、図７に示すように、棚板１１０の前後方向に延在する長さにほぼ相当する長さを有する、断面が略Ｌ字状又は略逆Ｔ字状の基板１０１と、この基板１０１上に該基板１０１の全長に亘り鉛直に設けた仕切板１０２と、この仕切板１０２の前端に連結部材（図示せず）を介して設けた商品前倒れ防止板１０４と、棚板１１０の前端縁部に対して係脱可能に係合する突起状の係合片１０６とから構成されている。
【０００３】
このような従来の陳列棚用商品仕切板１００において、商品前倒れ防止板１０４は、図７に示すような、前方に傾斜する棚板１１０上に複数の物品１１２を平積みさせる陳列態様において、物品１１２が棚板１１０から転落しないようにするために、平積みされる全ての物品１１２を支えることができる十分な高さ、具体的には５０ｍｍ〜８０ｍｍ又はそれ以上の高さを有するよう構成されている。
【先行技術文献】
【特許文献】
【０００４】
【特許文献１】特開２０００−２１７６７５号公報
【発明の概要】
【発明が解決しようとする課題】
【０００５】
しかしながら、従来の陳列棚用商品仕切板１００は、図８に示すように、棚板１１０の前後方向に整列するよう複数の物品１１２を起立させて陳列させた場合に、物品１１２の取り出しが困難となるという問題がある。すなわち、従来の陳列棚用商品仕切板１００は、商品前倒れ防止板１０４の高さが５０ｍｍ〜８０ｍｍ又はそれ以上であることから、陳列する物品１１２が例えばレトルトカレー等の一般的な箱状商品である場合には、商品前倒れ防止板１０４が箱状商品１１２の高さ方向の大部分の領域（略３分の１〜２分の１の領域）を覆うこととなる。このため、箱状商品１１２を取り出しにくく、また、図８において仮想線で示すように、箱状商品１１２を取り出す際に、商品前倒れ防止板１０４の上端部を中心として箱状商品１１２を大幅に傾ける必要があるため、後方に整列されている箱状商品１１２を転倒させてしまうおそれがある。そして、このような問題は、棚板１１０の上下間隔を物品１１２の高さと略等しい高さに設定し、陳列棚に大量の物品を陳列させるコンビニエンスストア等の販売店において、特に顕著となるものである。
【０００６】
本発明は、上述した問題点に鑑みてなされたものであり、その目的は、棚板の前後方向に整列するよう複数の物品を直立状態で陳列させた際に、物品の転落を効果的に防止しつつ取り出しを容易にすることが可能な仕切り部材及び仕切りユニットを提供することにある。
【課題を解決するための手段】
【０００７】
上記の目的を達成するため、本発明に係る仕切り部材は、陳列棚の棚板上に載置される複数の物品を前記棚板の幅方向に仕切るための仕切り部材であって、前記棚板上に載置可能に構成された長尺状の土台部と、前記土台部の長手方向に沿って延び、前記棚板の上面に対して垂直となるよう前記土台部に立設された仕切り板部と、前記仕切り板部の前端縁部と直交するよう、前記土台部の長手方向の前端縁部に立設された転落防止板部とを備え、前記転落防止板部は、前記土台部の上面から該転落防止板部の上端部までの高さが１５ｍｍ〜４０ｍｍとなるよう構成されていることを特徴とする。
【０００８】
本発明に係る仕切り部材において、前記転落防止板部は、前記土台部の上面から該転落防止板部の上端部までの高さが１５ｍｍ〜２５ｍｍとなるよう構成されることが好ましい。
【０００９】
また、本発明に係る仕切り部材において、前記土台部は、前記仕切り板部の下端縁部から幅方向の一方又は双方に向けて延出して設けられており、延出方向の先端縁部が、該土台部の長手方向に凹凸を繰り返す凹凸形状を有することが好ましい。
【００１０】
本発明に係る仕切りユニットは、陳列棚の棚板上に載置される複数の物品を前記棚板の幅方向に仕切るための少なくとも一対の仕切り部材を備える仕切りユニットであって、前記一対の仕切り部材は、それぞれ、前記棚板上に載置可能に構成された長尺状の土台部と、前記土台部の長手方向に沿って延び、前記棚板の上面に対して垂直となるよう前記土台部に立設された仕切り板部と、前記仕切り板部の前端縁部と直交するよう、前記土台部の長手方向の前端縁部に立設された転落防止板部とを備え、前記転落防止板部が、前記土台部の上面から該転落防止板部の上端部までの高さが１５ｍｍ〜４０ｍｍとなるよう構成されていることを特徴とする。
【００１１】
本発明に係る仕切りユニットにおいて、前記一対の仕切り部材の前記土台部は、それぞれ、前記仕切り板部の下端縁部から幅方向の一方又は双方に向けて延出して設けられており、延出方向の先端縁部が、該土台部の長手方向に凹凸を繰り返す凹凸形状を有しており、一方の前記仕切り部材の前記土台部の前記凹凸形状と、他方の前記仕切り部材の前記土台部の凹凸形状とは、互いに噛み合うよう凹凸順序が逆に構成されていることが好ましい。
【発明の効果】
【００１２】
本発明によれば、棚板の前後方向に整列するよう複数の物品を直立状態で陳列させた際に、物品の転落を効果的に防止しつつ取り出しを容易にすることが可能な仕切り部材及び仕切りユニットを提供することができる。
【図面の簡単な説明】
【００１３】
【図１】本実施形態に係る仕切りユニットの概略構成を示す正面斜視図である。
【図２】本実施形態に係る仕切りユニットの概略構成を示す平面図である。
【図３】図２のＡ−Ａ´線に沿った拡大端面図である。
【図４】本実施形態に係る仕切りユニットの概略構成を示す正面図である。
【図５】本実施形態に係る仕切りユニットの使用状態を示す概略側面図である。
【図６】図６（ａ）は、本実施形態に係る仕切りユニットの使用状態を示す概略正面図であり、図６（ｂ）は、従来の陳列棚用商品仕切板の使用状態を示す概略正面図である。
【図７】従来の陳列棚用商品仕切板の概略構成及び該陳列棚用商品仕切板を用いて物品を平積み状態で陳列させた状態を示す正面斜視図である。
【図８】従来の陳列棚用商品仕切板を用いて物品を直立状態で陳列させた状態を示す概略側面図である
【発明を実施するための形態】
【００１４】
次に、本発明の一実施形態に係る仕切りユニット１について、図面に基づいて説明する。本実施形態に係る仕切りユニット１は、図１に示すように、陳列棚と対向した位置から見た際に最も左側に配される左側仕切り部材１ａと、陳列棚と対向した位置から見た際に最も右側に配される右側仕切り部材１ｂと、これら左側仕切り部材１ａ及び右側仕切り部材１ｂの間に配される１又は複数の中央仕切り部材１ｃと、これら左側仕切り部材１ａ、右側仕切り部材１ｂ及び中央仕切り部材１ｃにそれぞれ着脱可能に構成された支持部材（バックストッパ）４０とを備えている。本実施形態に係る仕切りユニット１は、陳列棚の棚板上に直立状態で陳列される物品、例えば、レトルトカレーやチューブ状わさび等の箱状商品の仕切りに好適に用いることができ、特に、チューブ状わさび等の横幅が狭い箱状商品の仕切りに適している。
【００１５】
以下、本実施形態の説明において、各仕切り部材１ａ〜１ｃの前後方向とは、各仕切り部材１ａ〜１ｃの長手方向（後述する長尺状な土台部１０ａ〜１０ｄが延びる方向。図２中の上下方向）をいうものとし、各仕切り部材１ａ〜１ｃの幅方向とは、各仕切り部材１ａ〜１ｃの長手方向と直交かつ土台部１０ａ〜１０ｄの上面と平行な方向（図２〜図４中の左右方向）をいうものとする。また、各仕切り部材１ａ〜１ｃの左側及び右側とは、陳列棚の棚板上に載置された各仕切り部材１ａ〜１ｃと対向する位置（陳列棚と対向した位置）から見た場合における左側及び右側（図１〜４中の紙面左側及び紙面右側）をいうものとする。
【００１６】
左側仕切り部材１ａは、図１及び図３に示すように、棚板の前後方向に沿って延びる断面Ｌ字状の仕切り板の前端縁部に転落防止板部３０ａが設けられた、樹脂製の転落防止機能付き仕切り板であり、仕切り板部２０ａの右側に配置された物品の前面左下角部を転落防止板部３０ａによって支えるよう構成されている。具体的には、左側仕切り部材１ａは、棚板上に載置可能に構成された長尺状の土台部１０ａと、土台部１０ａの長手方向に沿って延び、棚板の上面に対して垂直となるよう土台部１０ａの左側縁部に沿って立設された仕切り板部２０ａと、仕切り板部２０ａの前端縁部と直交するよう、土台部１０ａの長手方向の前端縁部に立設された転落防止板部３０ａとを備えている。
【００１７】
右側仕切り部材１ｂは、図１及び図３に示すように、棚板の前後方向に沿って延びる断面反転Ｌ字状の仕切り板の前端縁部に転落防止板部３０ｂが設けられた、樹脂製の転落防止機能付き仕切り板であり、仕切り板部２０ａの左側に配置された物品の前面右下角部を転落防止板部３０ｂによって支えるよう構成されている。具体的には、右側仕切り部材１ｂは、棚板上に載置可能に構成された長尺状の土台部１０ｂと、土台部１０ｂの長手方向に沿って延び、棚板の上面に対して垂直となるよう土台部１０ｂの右側縁部に沿って立設された仕切り板部２０ｂと、仕切り板部２０ｂの前端縁部と直交するよう、土台部１０ｂの長手方向の前端縁部に立設された転落防止板部３０ｂとを備えている。
【００１８】
中央仕切り部材１ｃは、図１及び図３に示すように、棚板の前後方向に沿って延びる断面逆Ｔ字状の仕切り板の前端縁部に転落防止板部３０ｃが設けられた、樹脂製の転落防止機能付き仕切り板であり、仕切り板部２０ｃの左側に配置された物品の前面右下角部と、仕切り板部２０ｃの右側に配置された物品の前面左下角部とを転落防止板部３０ｃによって支えるよう構成されている。具体的には、中央仕切り部材１ｃは、棚板上に載置可能に構成された長尺状の左側土台部１０ｃ及び右側土台部１０ｄと、左側土台部１０ｃ及び右側土台部１０ｄの長手方向に沿って延び、棚板の上面に対して垂直となるよう左側土台部１０ｃ及び右側土台部１０ｄの境界部（左側土台部１０ｃ及び右側土台部１０ｄからなる土台部全体の幅方向の中間部）に立設された仕切り板部２０ｃと、仕切り板部２０ｃの前端縁部と直交するよう、左側土台部１０ｃ及び右側土台部１０ｄの長手方向の前端縁部に立設された転落防止板部３０ｃとを備えている。
【００１９】
左側仕切り部材１ａ、右側仕切り部材１ｂ及び中央仕切り部材１ｃの各土台部１０ａ〜１０ｄは、図２及び図３に示すように、長方形状の平板からなり、その底面に、板状マグネット等の適宜の接着手段１２がそれぞれ設けられている。
【００２０】
また、左側仕切り部材１ａ、右側仕切り部材１ｂ及び中央仕切り部材１ｃの各土台部１０ａ〜１０ｄは、図２に示すように、それぞれ、仕切り板部２０ａ〜２０ｃが立設されていない側縁部が、各土台部１０ａ〜１０ｄの長手方向に凹凸を繰り返す凹凸形状、本実施形態では波形形状を有している。すなわち、左側仕切り部材１ａの土台部１０ａは、仕切り板部２０ａの下端縁部から幅方向の一方（右方向）に向けて延出して設けられており、延出方向の先端縁部が、土台部１０ａの長手方向に凹凸を繰り返す波形形状（凹凸形状）を有している。また、右側仕切り部材１ｂの土台部１０ｂは、仕切り板部２０ｂの下端縁部から幅方向の一方（左方向）に向けて延出して設けられており、延出方向の先端縁部が、土台部１０ｂの長手方向に凹凸を繰り返す波形形状（凹凸形状）を有している。さらに、中央仕切り部材１ｃの土台部１０ｃ，１０ｄは、仕切り板部２０ａの下端縁部から幅方向の双方（左方向及び右方向）に向けて延出して設けられており、延出方向の先端縁部が、土台部１０ｃ，１０ｄの長手方向に凹凸を繰り返す波形形状（凹凸形状）を有している。これら左側仕切り部材１ａ、右側仕切り部材１ｂ及び中央仕切り部材１ｃの各土台部１０ａ〜１０ｄの波形形状（凹凸形状）は、それぞれ隣接する他の仕切り板部材の土台部の波形形状（凹凸形状）と互いに噛み合うように、該隣接する他の仕切り板部材の土台部の波形形状（凹凸形状）と凹凸順序が逆に構成されている。
【００２１】
具体的には、左側仕切り部材１ａの土台部１０ａの波形形状（凹凸形状）は、この土台部１０ａに隣接する中央仕切り部材１ｃの左側土台部１０ｃと互いに噛み合うことができるように、中央仕切り部材１ｃの左側土台部１０ｃの波形形状（凹凸形状）に対して凹凸順序が逆に構成されている。また、右側仕切り部材１ｂの土台部１０ｂの波形形状（凹凸形状）は、この土台部１０ｂに隣接する中央仕切り部材１ｃの右側土台部１０ｄと互いに噛み合うことができるように、中央仕切り部材１ｃの右側土台部１０ｄの波形形状（凹凸形状）に対して凹凸順序が逆に構成されている。
【００２２】
さらに、本実施形態に係る仕切りユニット１においては、中央仕切り部材１ｃの左側土台部１０ｃの波形形状（凹凸形状）と、右側土台部１０ｄの波形形状（凹凸形状）とは、非対称となるように、互いに凹凸順序が逆に構成されている。そして、左側仕切り部材１ａの土台部１０ａの波形形状（凹凸形状）と、中央仕切り部材１ｃの右側土台部１０ｄの波形形状（凹凸形状）とが、略同一形状となるよう構成され、右側仕切り部材１ｂの土台部１０ｂの波形形状（凹凸形状）と、中央仕切り部材１ｃの左側土台部１０ｃの波形形状（凹凸形状）とが、略同一形状となるよう構成されている。このような仕切りユニット１によれば、中央仕切り部材１ｃを使用せずに、左側仕切り部材１ａ及び右側仕切り部材１ｂのみを使用する使用態様や、左側仕切り部材１ａと右側仕切り部材１ｂとの間に複数の中央仕切り部材１ｃを配置させる使用態様においても、隣接する各土台部１０ａ〜１０ｄ同士を噛み合わせることができる。
【００２３】
これら左側仕切り部材１ａ及び右側仕切り部材１ｂの各土台部１０ａ，１０ｂの長手方向の長さ（奥行き寸法）は、任意に設定することができ、例えば、１５０ｍｍ〜３００ｍｍ、好ましくは２００ｍｍ〜２５０ｍｍ程度、さらに好ましくは２００ｍｍ程度の長さに設定することができる。また、中央仕切り部材１ｃの各土台部１０ｃ，１０ｄの長手方向の長さは、任意に設定することができ、例えば、左側仕切り部材１ａ及び右側仕切り部材１ｂの各土台部１０ａ，１０ｂと同じ長さに設定されるとしても良いし、これら各土台部１０ａ，１０ｂよりも長くなるよう設定されるとしても良い。
【００２４】
また、左側仕切り部材１ａ、右側仕切り部材１ｂ及び中央仕切り部材１ｃの各土台部１０ａ〜１０ｄの幅方向長さ（幅寸法）は、任意に設定することができる。例えば、左側仕切り部材１ａ及び右側仕切り部材１ｂの各土台部１０ａ，１０ｂについては、仕切り板部２０ａ，２０ｂから凸状部位（波形形状の最も突出した部位）の先端縁部までの長さＷｍａｘが１５ｍｍ〜２５ｍｍ、好ましくは２０ｍｍ程度で、仕切り板部２０ａ，２０ｂから凹状部位（波形形状の最も窪んだ部位）の先端縁部までの長さＷｍｉｎが７ｍｍ〜２０ｍｍ、好ましくは１４ｍｍ程度で、仕切り板部２０ａ，２０ｂから波形形状の中間位置（波形形状の凹凸を均した場合の位置。凹凸の平均位置）までの長さＷａｖｅが１２ｍｍ〜２３ｍｍ、好ましくは１７ｍｍ程度で、かつ、Ｗｍａｘ＞Ｗａｖｅ＞Ｗｍｉｎとなるよう構成されるとしても良い。また、中央仕切り部材１ｃの各土台部１０ｃ，１０ｄについては、仕切り板部２０ｃから凸状部位（波形形状の最も突出した部位）の先端縁部までの長さＷｍａｘが１３ｍｍ〜２０ｍｍ、好ましくは１６ｍｍ程度で、仕切り板部２０ｃから凹状部位（波形形状の最も窪んだ部位）の先端縁部までの長さＷｍｉｎが７ｍｍ〜１５ｍｍ、好ましくは１０ｍｍ程度で、仕切り板部２０ｃから波形形状の中間位置（波形形状の凹凸を均した場合の位置。凹凸の平均位置）までの長さＷａｖｅが１０ｍｍ〜１８ｍｍ、好ましくは１２ｍｍ程度で、かつ、Ｗｍａｘ＞Ｗａｖｅ＞Ｗｍｉｎとなるよう構成されるとしても良い。なお、凸状部位の幅寸法Ｗｍａｘは、仕切り板部２０ａ〜２０ｄが転倒しない範囲で任意に設定することができる。
【００２５】
さらに、左側仕切り部材１ａ、右側仕切り部材１ｂ及び中央仕切り部材１ｃの各土台部１０ａ〜１０ｄの厚さ（高さ寸法）は、任意に設定することができ、例えば、１ｍｍ〜３ｍｍ、好ましくは２ｍｍ程度に設定することができる。
【００２６】
左側仕切り部材１ａ、右側仕切り部材１ｂ及び中央仕切り部材１ｃの各仕切り板部２０ａ〜２０ｃは、図１〜図３に示すように、各土台部１０ａ〜１０ｄに対して垂直に立設された長方形状の平板から構成されている。各仕切り板部２０ａ〜２０ｃの上端縁部近傍には、図１及び図３に示すように、支持部材４０を装着させることが可能なガイド溝２２が長手方向に沿って形成されており、このガイド溝２２に沿って、装着された支持部材４０を長手方向に移動させることが可能に構成されている。また、各仕切り板部２０ａ〜２０ｃは、図１及び図３に示すように、上端縁部近傍、下端縁部近傍、前端縁部近傍及び後端縁部近傍を除く中間領域２４が、上端縁部近傍、下端縁部近傍、前端縁部近傍及び後端縁部近傍よりも肉薄となるよう構成されている。本実施形態に係る左側仕切り部材１ａ、右側仕切り部材１ｂ及び中央仕切り部材１ｃは、このように、各仕切り板部２０ａ〜２０ｃの中間領域２４が肉薄に形成されることにより、材料費を削減することができ、また、各仕切り板部２０ａ〜２０ｃ間に配置された物品との接触面積を減少させることで、摺動摩擦を低減させることができると共に、擦れ等に起因する傷の発生を抑制することができるという利点を有している。なお、各仕切り板部２０ａ〜２０ｃの中間領域２４を開口とすることも可能であるが、開口とした場合には、各仕切り板部２０ａ〜２０ｃ間において物品を前後方向に移動させる際に該開口に物品が引っ掛り、物品を傷つけてしまうおそれがあると共に、各仕切り板部２０ａ〜２０ｃの強度が弱くなることから、各仕切り板部２０ａ〜２０ｃの中間領域２４を肉薄とすることが好ましい。
【００２７】
これら左側仕切り部材１ａ、右側仕切り部材１ｂ及び中央仕切り部材１ｃの各仕切り板部２０ａ〜２０ｃは、図４に示すように、それぞれ、その上下方向の高さＨ（すなわち、各土台部１０ａ〜１０ｄの下面から各仕切り板部２０ａ〜２０ｃの上端部までの高さ寸法）が、１５ｍｍ〜４０ｍｍ、好ましくは２０ｍｍ〜３５ｍｍ程度、より好ましくは３０ｍｍ程度となるよう構成されている。
【００２８】
左側仕切り部材１ａの転落防止板部３０ａは、図４に示すように、左側縁部が仕切り板部２０ａの前端縁部と一体的に連続し、かつ、下端縁部が土台部１０ａの長手方向の前端縁部に一体的に連続する平板から構成されている。右側仕切り部材１ｂの転落防止板部３０ｂは、右側縁部が仕切り板部２０ｂの前端縁部と一体的に連続し、かつ、下端縁部が土台部１０ｂの長手方向の前端縁部に一体的に連続する平板から構成されている。中央仕切り部材１ｃの転落防止板部３０ｃは、背面の幅方向中間位置が仕切り板部２０ｃの前端縁部と一体的に連続し、かつ、下端縁部が左側土台部１０ｃ及び右側土台部１０ｄの長手方向の前端縁部に一体的に連続する平板から構成されている。
【００２９】
これら左側仕切り部材１ａ、右側仕切り部材１ｂ及び中央仕切り部材１ｃの各転落防止板部３０ａ〜３０ｃは、図４に示すように、それぞれ、各土台部１０ａ〜１０ｄの上面から各転落防止板部３０ａ〜３０ｃの上端部までの高さｈ（高さ寸法）が、１５ｍｍ〜４０ｍｍ、好ましくは１５ｍｍ〜３０ｍｍ程度、より好ましくは１５〜２５ｍｍ、さらに好ましくは２３ｍｍ程度となるよう構成されている。この各転落防止板部３０ａ〜３０ｃの高さｈ（高さ寸法）が１５ｍｍを下回る場合には、各転落防止板部３０ａ〜３０ｃによって物品を支える領域が過度に減少し、物品の転落を招くおそれがあり、また、各転落防止板部３０ａ〜３０ｃの高さｈ（高さ寸法）が４０ｍｍを上回る場合には、従来の陳列棚用商品仕切板１００と同様に、直立状態で陳列された物品を取り出しにくくなると共に、後方に整列されている箱状商品１１２を転倒させてしまうおそれがあるため、好ましくない。本実施形態に係る転落防止板部３０ａ〜３０ｃは、高さ寸法が１５ｍｍ〜４０ｍｍに設定されることにより、十分な転落防止機能を確保できると共に、物品の取り出しやすさを実現することができる。
【００３０】
また、左側仕切り部材１ａ、右側仕切り部材１ｂ及び中央仕切り部材１ｃの各転落防止板部３０ａ〜３０ｃは、各仕切り板部２０ａ〜２０ｃから離間する方向への突出量（幅寸法）が、それぞれ、７ｍｍ〜１６ｍｍ程度、好ましくは８ｍｍ程度となるよう構成されている。ここで、仕切り板部２０ａ〜２０ｃから離間する方向への突出量とは、図４に示すように、左側仕切り部材１ａの転落防止板部３０ａについては、仕切り板部２０ａの右面から転落防止板部３０ａの右端縁部に至る土台部１０ａに沿った長さＷをいい、右側仕切り部材１ｂの転落防止板部３０ｂについては、仕切り板部２０ｂの左面から転落防止板部３０ｂの左端縁部に至る土台部１０ｂに沿った長さＷをいい、中央仕切り部材１ｃの転落防止板部３０ｃについては、仕切り板部２０ｃの左面から転落防止板部３０ｃの左端縁部に至る土台部１０ｃに沿った長さＷと、仕切り板部２０ｃの右面から転落防止板部３０ｃの右端縁部に至る土台部１０ｄに沿った長さＷとをいうものとする。
【００３１】
支持部材４０は、図１に示すように、左側仕切り部材１ａ、右側仕切り部材１ｂ及び中央仕切り部材１ｃの各仕切り板部２０ａ〜２０ｃに形成された各ガイド溝２２に装着可能な断面逆Ｕ字状の取付部４２と、取付部４２に固定された支持板部４４とを備えている。この支持部材４０は、取付部４２が各仕切り板部２０ａ〜２０ｃの各ガイド溝２２に装着された状態において、各仕切り板部２０ａ〜２０ｃ間に配置された物品の背面を支持することが可能に構成されており、これにより、物品の転倒を防止するよう構成されている。
【００３２】
以上の構成を備える本実施形態に係る仕切りユニット１は、左側仕切り部材１ａ、右側仕切り部材１ｂ及び中央仕切り部材１ｃが互いに平行となり、かつ、これら左側仕切り部材１ａ、右側仕切り部材１ｂ及び中央仕切り部材１ｃの前後方向が陳列棚の棚板（図示せず）の前後方向と一致するよう、棚板上に配置される。そして、この状態において、左側仕切り部材１ａと中央仕切り部材１ｃとの間、及び、中央仕切り部材１ｃと右側仕切り部材１ｂとの間、並びに、中央仕切り部材１ｃが２以上設けられる場合には、一方の中央仕切り部材１ｃと他方の中央仕切り部材１ｃとの間に、それぞれ物品が配置されることにより、隣接する仕切り部材１ａ〜１ｃ同士が協働して、複数の物品を直立状態で前後方向に整列して配置させることができるよう構成されている。また、これら各仕切り部材１ａ〜１ｃ間に配置された最後尾の物品を、各仕切り部材１ａ〜１ｃに装着された支持部材４０によって背面方向から支えることが可能に構成されている。
【００３３】
以上のように、本実施形態に係る仕切りユニット１の各仕切り部材１ａ〜１ｃは、棚板上に載置可能に構成された長尺状の土台部１０ａ〜１０ｄと、土台部１０ａ〜１０ｄの長手方向に沿って延び、棚板の上面に対して垂直となるよう土台部１０ａ〜１０ｄに立設された仕切り板部２０ａ〜２０ｃと、仕切り板部２０ａ〜２０ｃの前端縁部と直交するよう、土台部１０ａ〜１０ｄの長手方向の前端縁部に立設された転落防止板部３０ａ〜３０ｃとを備え、転落防止板部３０ａ〜３０ｃが、土台部１０ａ〜１０ｄの上面から該転落防止板部３０ａ〜３０ｃの上端部までの高さが１５ｍｍ〜４０ｍｍとなるよう構成されている。そして、このような仕切りユニット１の各仕切り部材１ａ〜１ｃによれば、各転落防止板部３０ａ〜３０ｃの高さ寸法が、十分な転落防止機能と、良好な物品４の取り出しやすさ性能との双方を実現可能な範囲に設定されていることから、図５に示すように、陳列棚の棚板２，２の上下間隔を物品４の高さと略等しい高さに設定し、これら上下の棚板２，２間に物品４を直立状態で陳列させた場合であっても、各転落防止板部３０ａ〜３０ｃによって棚板２からの物品４の転落を十分に防止することができると共に、上下の棚板２，２間から物品４をスムーズに取り出すことができる。また、上下の棚板２，２間から物品４を取り出す際に、図５において仮想線で示すように、物品４を大幅に傾ける必要がないため、後方に整列されている物品４を転倒させることも効果的に防止することができる。
【００３４】
また、本実施形態に係る仕切りユニット１は、各仕切り部材１ａ〜１ｃの土台部１０ａ〜１０ｄが、それぞれ、仕切り板部２０ａ〜２０ｃが立設されていない側縁部が土台部１０ａ〜１０ｄの長手方向に凹凸を繰り返す凹凸形状を有しており、隣接する一方の仕切り部材１ａ〜１ｃの土台部１０ａ〜１０ｄの凹凸形状と、隣接する他方の仕切り部材１ａ〜１ｃの土台部１０ａ〜１０ｄの凹凸形状とが、互いに噛み合うよう凹凸順序が逆に構成されている。このような仕切りユニット１によれば、隣接する仕切り部材１ａ〜１ｃの間隔を極めて狭めることが可能となるため、例えばチューブ状わさび等の横幅が狭い箱状商品４´を配置させた場合であっても、デッドスペースの発生を最小限に抑えることができる。
【００３５】
すなわち、従来の陳列棚用商品仕切板１００では、例えば図６（ｂ）に示すように、一方の仕切板１０２と他方の仕切板１０２との間隔が、基板１０１の幅寸法Ｗｍａｘの２倍となり、この基板１０１の幅寸法Ｗｍａｘは、仕切板１０２が転倒しないよう広く設定されるため、一方の仕切板１０２と他方の仕切板１０２との間隔が広くなり過ぎるという問題がある。このため、従来の陳列棚用商品仕切板１００では、例えばチューブ状わさび等の横幅が狭い箱状商品４´を配置させた場合には、箱状商品４´と各仕切板１０２，１０２との間に非常に広いデッドスペースが生じるという問題がある。これに対し、本実施形態に係る仕切りユニット１は、隣接する土台部１０ａ〜１０ｄ同士が互いに噛み合う凹凸形状に形成されているため、土台部１０ａ〜１０ｄの凸状部位の幅寸法Ｗｍａｘを仕切り板部２０ａ〜２０ｃが倒れない長さに維持しつつ、隣接する仕切り板部（図６（ａ）の例では、仕切り板部２０ｂ，２０ｃ）間の間隔を、一方の土台部１０ｂの波形形状の中間位置の幅寸法Ｗａｖｅと他方の土台部１０ｄの波形形状の中間位置の幅寸法Ｗａｖｅとの和にまで狭めることができる。このため、本実施形態に係る仕切りユニット１によれば、例えば図６（ａ）に示すように、隣接する一対の仕切り部材間（図６（ａ）の例では、中央仕切り部材１ｃ及び右側仕切り部材１ｂ間）に、例えばチューブ状わさび等の横幅が狭い箱状商品を配置させた場合であっても、箱状商品４´と各仕切り板部２０ｂ，２０ｃとの間のデッドスペースを略無くすか、仮にデッドスペースが生じるとしても、最小限に抑えることが可能となる。
【００３６】
本発明に係る物品陳列台は、上述した実施形態に限定されるものではなく、本発明の技術思想を逸脱しない範囲内において種々の改変を行なうことができる。
【００３７】
例えば、上述した実施形態の説明では、仕切りユニット１が、左側仕切り部材１ａ、右側仕切り部材１ｂ、中央仕切り部材１ｃ及び支持部材４０を備えるものとして説明したが、これに限定されず、少なくとも一対の仕切り部材を備えるものであれば良く、例えば、中央仕切り部材１ｃ及び支持部材４０を備えない構成としても良い。
【００３８】
また、上述した実施形態の説明では、各仕切り部材１ａ〜１ｃの底面に設けられる接着手段１２として、棚板の上面に磁力で接着可能な板状マグネットを例に挙げて説明したが、これに限定されず、例えば面ファスナや両面テープ等の種々の接着手段を用いることができる。また、この接着手段１２に代えて、摩擦抵抗が高い滑り止めシートや滑り止め剤等を各仕切り部材１ａ〜１ｃの底面に貼り付け又は塗布する構成としても良いし、接着手段１２等を設けずに各仕切り部材１ａ〜１ｃの底面を棚板上に直接接触させる構成としても良い。
【００３９】
さらに、上述した実施形態の説明では、各土台部１０ａ〜１０ｄが波形形状を有するものとして説明したが、これに限定されるものではなく、種々の凹凸形状を採用することができる。また、各土台部１０ａ〜１０ｄが凹凸形状を有さない構成としても良い。
【００４０】
また、上述した実施形態の説明における各仕切り部材１ａ〜１ｃの各構成要素の寸法は、転落防止板部３０ａ〜３０ｃの高さ寸法を除き、上述した寸法に限定されるものではなく、種々の寸法を採用することができる。
【００４１】
上記のような変形例が本発明の範囲に含まれることは、特許請求の範囲の記載から明らかである。
【符号の説明】
【００４２】
１  仕切りユニット、１ａ  左側仕切り部材（仕切り部材）、１ｂ  右側仕切り部材（仕切り部材）、１ｃ  中央仕切り部材（仕切り部材）、１０ａ，１０ｂ  土台部、１０ｃ  左側土台部（土台部）、１０ｄ  右側土台部（土台部）、２０ａ〜２０ｃ  仕切り板部、３０ａ〜３０ｃ  転落防止板部、２  陳列棚の棚板，４´  物品
【図１】
2016096836.tif 000003
【図２】
2016096836.tif 000004
【図３】
2016096836.tif 000005
【図４】
2016096836.tif 000006
【図５】
2016096836.tif 000007
【図６】
2016096836.tif 000008
【図７】
2016096836.tif 000009
【図８】
2016096836.tif 000010